(57)【要約】【課題】家庭内で発生する紙等の資源ゴミについて、資源ゴミとして容易にかつ効率的に分別収集し、さらに紙等資源ゴミの分別が日常習慣化されることによる資源ゴミの回収率の向上とリサイクルの推進をはかる。【解決手段】本発明は、二つの板状体の下部を蝶番で連結してＶ字状構造体を形成し、その上部開口部から紙等の資源ゴミを投下させると両板状体の壁面に沿って落下してその内底部に収集され、下部の切欠口から紐等を通すことによって資源ゴミを容易に緊縛することができる。このようにして紙等の廃棄物を簡単にかつ嵩張らずまた美観を損なわず保管して分別回収することができ、機能面、コスト面、美観面からも多様な場所に設置することができるので、資源ゴミの回収機会を増加させリサイクルの推進に寄与することができる資源ゴミ分別収束器を提供する。【選択図】図１
2006273432.tif 000002
【特許請求の範囲】
【請求項１】
二つの板状体の下端を蝶番等により連結してＶ字状構造体を形成し、一方の板状体の側面に他端に連結ピンを備えた連結棒を枢着し、他方の板状体の側面に該連結ピンが嵌合する連結孔を設け、両板状体にはそれぞれ支持脚を枢軸支し、両板状体の上端、下端の中央部にそれぞれ上部切口、下部切口を切り欠いたことを特徴とする資源ゴミ分別収束器。
【請求項２】
前記一方の板状体の上端中央部近傍に圧力操作具を挿通するガイドを取り付け、該圧力操作具の先端に他方の板状体の上部に嵌着する板状体着脱部を枢着したことを特徴とする請求項１に記載の資源ゴミ分別収束器。
【請求項３】
前記他方の板状体の側面に設けた連結孔を複数個設け、当該任意の連結孔に連結棒に設けられた連結ピンを嵌合して、Ｖ字状構造体の開口幅を自在に変えられるようにしたことを特徴とする請求項１又は２に記載の資源ゴミ分別収束器。
【請求項４】
両板状体に枢軸支した前記支持脚を蝶ネジで固定することによって、Ｖ字状構造体を自在に設置できるようにしたことを特徴とする請求項１ないし３のいずれかに記載の資源ゴミ分別収束器。
【請求項５】
二つの板状体の下端を蝶番等により連結したＶ字状構造体の内部に、資源ゴミ等の廃棄物を投下し、両板状体の下端に設けた下部切口から紐等を挿通し、両板状体の上部に設けた上部切口に通して、Ｖ字状構造体内の廃棄物を紐等で緊縛することを特徴とする資源ゴミ等を分別収束する方法。
【請求項６】
前記Ｖ字状構造体の一方の板状体の上端に取り付けたガイドに圧力操作具の把手側を挿通し、他方の板状体の上部に圧力操作具に枢着された板状体着脱部を嵌着し、圧力操作具に沿ってＶ字状構造体を畳む方向に押圧することにより、Ｖ字状構造体内の廃棄物を圧搾して紐等で緊縛することを特徴とする請求項５に記載の資源ゴミを分別収束する方法。
【発明の詳細な説明】
【技術分野】
【０００１】
本発明は、分別作業の容易性、低コストでの製造及び複数設置という観点から、紙ゴミを中心とした資源ゴミの分別機能性を向上させることによりリサイクルを推進する資源ゴミ分別収束器に関するものである。
【背景技術】
【０００２】
従来より、紙資源を分別するものとして反故書類を再利用のために分別する機能を有する事務用ゴミ箱があった（例えば、特許文献１参照）。
【０００３】
また、紙製容器で古紙を分別収集し、容器ごと紙資源のリサイクル工程にかけることができる紙分別回収専用の紙製容器（例えば、特許文献２参照）があり、更に紙製袋で古紙を分別収集し、袋ごと紙資源のリサイクル工程にかけることができる紙分別回収専用の紙製袋（例えば、特許文献３参照）があった。
【特許文献１】特開２０００−１７７８０１号公報
【特許文献２】特開２００３−１７０９２２号公報
【特許文献３】特開２００４−１７３５７号公報
【発明の開示】
【発明が解決しようとする課題】
【０００４】
家庭において発生する各種製品の梱包用紙材、各種支払や請求明細、或いはパンフレット小冊子などの紙ゴミは、可燃ゴミとして同梱する習慣がある。昨今有害物質の軽減という観点から梱包材が合成樹脂から紙材へ移行し、また急増するダイレクトメール、家庭内でのＯＡ機器用紙使用といった大量の紙材が通常家庭において発生するようになっているが、これまでの慣習で従来のようにリサイクルされることなく多くの資源ごみが可燃ゴミとして廃棄されているのが現状である。
【０００５】
紙等の資源ゴミをリサイクルされずに可燃ゴミとして廃棄するという過去からの生活習慣の影響や、紙等の資源ゴミのもつ形状やサイズの複雑化による分別作業性の低下から、最新の資源ゴミ回収技術によっても家庭における紙等の資源ゴミのリサイクルが十分であるといえない。家庭から出される可燃ごみのなかで、リサイクル可能な紙類の量は５５.７％あり、可燃ごみの半分以上を占めているのが実情である。
【０００６】
ごみ箱に入りにくい形状の紙等は、絞る、丸めるなど不定形な形に変えて投棄されるので、ゴミの容積が増えその結果可燃ゴミ収集の物流効率の低下を来たしている。
【０００７】
本発明は、家庭や業務で発生する可燃ゴミに混入している紙等の資源ゴミや、裏面が利用可能な片面使用済み用紙等について、通常の生活環境の中で資源ゴミとして容易にかつ効率的に分別収集できるようにし、また紙等資源ゴミの分別が慣習化されることによって資源の回収率を向上させリサイクルの推進に寄与することができるものである。
【課題を解決するための手段】
【０００８】
本発明である資源ゴミ分別収束器は、二枚の板状体１及び板状体１’をＶ字形状に組合わせることによってＶ字状構造体２４を構成し、紙等の資源ゴミがＶ字状構造体２４の上部の開口部２５から投入されると、その内壁にそって落下してその内底に整然と収集され、資源ゴミを容易にかつ嵩張らずまた美観を損なわずに整頓保管され、分別回収を行うことができる（図１、図７）。
【０００９】
本発明である資源ゴミ分別収束器は、紙等の資源ゴミを収集するＶ字状構造体２４の開口部２５の幅を任意に変化させることができ、また床や机上に置いたり壁面１８のフック１９に掛止めたりさまざまな場所に設置して、資源ゴミを回収する機会を増やすことができる（図６）。
【００１０】
本発明である資源ゴミ分別収束器は、二枚の板状体１、１’がＶ字状構造体２４の谷線部２６を支線に擺動して板状体１、１’が向かい合う面で挟み込むので、紙ゴミに限らずプラスチックトレイやペットボトルなど他の資源ゴミについても圧搾して減容化させることができる。
【発明の効果】
【００１１】
本発明は、紙等の資源ゴミを資源ゴミ分別収束器の開口部から投下するだけで自然に整頓して収集され回収しやすい環境を提供することができ、使用者に手を煩わすことなく紙等の資源ゴミをたやすく分別リサイクルすることができる。
【００１２】
また、本発明を使用することによって紙等の資源ゴミをその中に奇麗に収納することができ、外見的にも違和感がなく私用の場所のみならず公用の場所にも配置することができる。このように紙等の資源ゴミが発生する多くの場所に簡易に設置することができるので、資源ゴミの分別回収量の増加が期待できる。本発明の資源ゴミ分別収束器を設置することにより、これまで可燃ゴミとして処理されていた廃紙が、毎月一人あたり１．２ｋｇ〜１．６ｋｇリサイクル用紙の回収を見込むことができる。
【００１３】
更に、本発明が有する廃棄物の圧搾機能を利用することにより、家庭で発生するプラスチックトレイ、ペットボトルなどの資源ゴミの減容化をはかり、運搬の効率化、貯蔵スペースの減縮に資することができる。
【００１４】
本発明の資源ゴミ分別収束器を継続して使用することにより、紙等の資源ゴミの分別、リサイクルに関する習慣が独りでに身につき、牛乳パックや段ボール等の一般紙と異種のものの分別が自然とはかれるようになり、分別回収の効率化と環境対策に貢献することができる。
【発明を実施するための最良の形態】
【００１５】
本発明である資源ゴミ分別収束器は、二つの板状体の下部の谷線部２６を蝶番等により連結されたＶ字状構造体２４からなり、板状体１、１’の外側に転倒防止用の支持脚２が枢軸支されている。該Ｖ字状構造体の上部には開口部２５を有し、該開口部２５から紙２０等を投下すると、二枚の板状体１、１’で構成されたＶ字状構造体２４の内部斜面に沿って落下しその内部に収納される（図２、図７）。
【００１６】
Ｖ字状構造体２４を構成する二枚の板状体の一方の板状体１の側面には支軸７を中心にして回動する連結棒６が枢軸支され、該連結棒６の端部には連結ピン１２が設けられている。該連結ピン１２を他方の板状体１’の側面に設けられた連結孔８に嵌挿して両板状体１、１’を固定する。一方の板状体１’の側面には多数の連結孔８を設け、当該任意の連結孔８に連結棒６の連結ピン１２を嵌挿することにより、使用場所、使用用途に応じて、開口部２５の広さを任意に調整することができる（図２、図３）。
【００１７】
なお、開口部２５の広さを任意に調整して固定する手段として、連結ピン１２の代わりにクリップ等を用いて咬止させてもよい。
【００１８】
Ｖ字状構造体２４の転倒防止用の支持脚２は、Ｖ字状構造体２４の板状体１、１’の外側に取り付けた固定具４に枢軸支され、固定具４の機軸に嵌込された蝶ネジ５の弛緩によって該支持脚２を適切な位置に固定することができる（図１、図２）。
【００１９】
支持脚２を倒立させて蝶ネジ５等で固定させることによって、机などの壁面１８に敷設したフック１９に掛止めて、本体を壁面１８に懸架して使用することもできる（図６）。
【００２０】
なお、本体を壁面１８に懸架して使用するために、板状体１、１’の一方に穴を設けてフック１９に掛止させてもよく、また、壁面１８が鉄を含む素材でできている場合は、支持脚２又は板状体１、１’の一方に磁石を載設して、磁力により壁面１８に吸着させてもよい。
【００２１】
板状体１、１’で構成されたＶ字状構造体２４内側に、例えば広告紙などの紙ゴミを使用した受紙２１を予め敷設しておき、廃棄された使用済み紙２０等を受紙２１上に収集した状態で、板状体１、１’の上部切口１０から手で受紙２１を摘み上げ、その受紙２１ごと雑誌等の間に挟み入れて簡便に分別収集を図ることができる（図１、図８）。
【００２２】
Ｖ字状構造体２４の内部に紙２０等が収集された状態で、紐２２などを両板状体１、１’の下部切口１１へ挿通し、両板状体の上部に設けた上部切口に通して紙２０等の資源ゴミを緊縛して束ねることができる（図９）。
【００２３】
板状体１、１’で構成されたＶ字状構造体２４の開閉機能を利用してプラスチックトレイ２３やペットボトルなどの資源ゴミをＶ字状構造体２４の壁面に挟み、手動で板状体１、１’の開口部２５を閉じる方向に押圧してこれらを圧搾して廃棄物の容積を減らすることができる。
【００２４】
圧力操作レバー１６と把手１７と板状体着脱部１４からなる圧力操作具１３を用いることによって、本器の圧搾力を倍加させることができる。圧力操作具１３は、一方に把手１７が取付けられ、他方の端部には支軸部１５により回動可能に板状体着脱部１４を設けられて、該板状体着脱部１４は板状体１’の上部に嵌着できるようになっている（図４）。
【００２５】
Ｖ字状構造体２４の一方の板状体１の上端には圧力操作具１３を挿通するガイド９が設けられており、該ガイド９に圧力操作具１３の把手１７側を挿通し、他方の板状体１’の上部に圧力操作具１３に枢着された板状体着脱部１４を嵌着し、圧力操作具１３に沿ってＶ字状構造体２４を畳む方向に押圧することによってＶ字状構造体２４内の廃棄物を圧搾して紐等で緊縛する（図５、図１０）。
【００２６】
ガイド９のガイド孔は板状体１上で、内側より外側に一定の角度で外上がりの傾斜に設けてあり、把手１７を上方向に引っ張ることにより梃子の作用でＶ字状構造体２４が狭まる力を利用してＶ字状構造体２４壁面上のプラスチックトレイ２３等の被圧縮物を圧搾することができる。また、ガイド９の代わりに板状体１に圧力操作レバー１６の貫通可能で、内側より外側に一定の角度で傾斜した外下がりの穴を設け、同様の手順で圧力操作具１３を装着した場合、把手１７は下方向に抑えることによりＶ字状構造体２４が狭まり被圧縮物を圧搾することができる。
【実施例１】
【００２７】
板状体の高さ２４０ｍｍ、長さ３００ｍｍ、厚さ６ｍｍのサイズの資源ゴミ分別収束器を家庭内の複数の部屋に設置して、日常生活で発生する紙ゴミを分別しやすい環境をつくり、毎週１度家庭内で回収しリサイクル用紙資源として纏めた。その結果、家庭内の可燃ごみの容積が約３５％減少した。
【実施例２】
【００２８】
板状体着脱部の高さ１２０ｍｍ、長さ５０ｍｍ、厚さ５ｍｍで、圧力操作レバー及び把手がそれぞれ直径１０ｍｍφ、長さ４５０ｍｍのサイズの資源ゴミ分別収束器によって、プラスチックトレイおよびペットボトルの圧搾を行った。その結果、プラスチックトレイは容積が３０％減少し、ペットボトルは４０％減少した。
【実施例３】
【００２９】
簡易型として、一枚の合成樹脂又は金属の板状体を折り曲げてＶ字状構造体を作り、脚で支えて資源ゴミ分別収束器を作成した。高さ５００ｍｍ、長さ３００ｍｍ、厚さ４ｍｍの発泡プラスチックで、高さの中央を４０°の開度で折り曲げた簡易型の資源ゴミ分別収束器でも、同様に紙等資源ゴミの収集機能を十分発揮することができた。
【産業上の利用可能性】
【００３０】
本発明は、構造上簡便な用具で製造コストが廉価であり、またゴミ収集時でも外観的に見栄えが悪くないため通常の部屋やオフィスでも数多く設置することができる。このように本器を使用することによって、家庭のみならず業務オフィス内においても資源ゴミの分別収集が習慣化されることとなり、紙以外の資源ゴミについても様々な態様が可能である。
【図面の簡単な説明】
【００３１】
【図１】本発明である資源ゴミ分別収束器の斜視図
【図２】同資源ゴミ分別収束器の側面図
【図３】連結棒取り付け状態を示す本発明の斜視図
【図４】圧力操作具全体の斜視図
【図５】圧力操作具を取り付けた状態の本発明の斜視図
【図６】資源ゴミ分別収束器を壁面に取り付けた状態の側面図
【図７】紙収集状態を示す本発明の側面図
【図８】受紙使用の紙収集状態を示す本発明の側面図
【図９】資源ゴミ分別収束器の下部切口より紐でゴミを緊縛する状態を示す斜視図
【図１０】圧力操作具使用のプラスチック廃棄物の圧搾態様を現す側面図
【符号の説明】
【００３２】
１、１’板状体
２  支持脚
３  蝶番
４  固定具
５  蝶ネジ
６  連結棒
７  支軸
８  連結孔
９  ガイド
１０  上部切口
１１  下部切口
１２  連結ピン
１３  圧力操作具
１４  板状体着脱部
１５  支軸部
１６  圧力操作レバー
１７  把手
１８  壁面
１９  フック
２０  紙
２１  受紙
２２  紐
２３  プラスチックトレイ
２４  Ｖ字状構造体
２５  開口部
２６  谷線部
【図１】
2006273432.tif 000003
【図２】
2006273432.tif 000004
【図３】
2006273432.tif 000005
【図４】
2006273432.tif 000006
【図５】
2006273432.tif 000007
【図６】
2006273432.tif 000008
【図７】
2006273432.tif 000009
【図８】
2006273432.tif 000010
【図９】
2006273432.tif 000011
【図１０】
2006273432.tif 000012